(57)【特許請求の範囲】
【請求項１】
部屋内に設置された複数の設備機器の位置を平面図上に表したメンテナンス用図面を作成するメンテナンス用図面作成装置であって、
各設備機器には、設備機器を識別するための識別情報が識別標識として付され、
前記複数の設備機器を含む部屋全体を撮像するとともに、前記各設備機器に付された前記識別標識を撮像する撮像部と、
前記部屋全体を撮像した画像から、前記複数の設備機器を含む前記部屋の平面図を作成する平面図作成部と、
撮像した前記識別標識から、前記識別情報を読み取る読み取り部と、
前記各設備機器について、読み取られた識別情報の設備機器と、当該設備機器の前記平面図における位置とを紐付ける紐付け部と、
を備えたメンテナンス用図面作成装置。
【請求項２】
作成された前記平面図および読み取られた識別情報を表示する表示部と、
表示された平面図における前記複数の設備機器から、特定の設備機器を選択する選択部と、をさらに備え、
前記紐付け部は、読み取られた識別情報の設備機器と、前記選択部により選択された設備機器とを紐付ける
請求項１に記載のメンテナンス用図面作成装置。
【請求項３】
前記撮像部は、前記複数の設備機器を含む部屋全体および前記各設備機器に付された前記識別標識を連続的に動画として撮像し、
前記紐付け部は、前記動画から読み取られた識別情報の設備機器と、当該設備機器の前記平面図における位置とを紐付ける
請求項１に記載のメンテナンス用図面作成装置。
【請求項４】
作成された前記平面図を表示する表示部と、
表示された平面図の一部を拡大して示す拡大部と、をさらに備え、
前記紐付け部は、拡大した画像から読み取られた識別情報の設備機器と、当該設備機器の前記平面図における位置とを紐付ける
請求項１に記載のメンテナンス用図面作成装置。
【請求項５】
前記紐付け部は、前記部屋内に設置された複数の設備機器に係る外部から取得した識別情報と、前記読み取り部で読み取られた識別情報とを照合する
請求項１から請求項４までの何れか１項に記載のメンテナンス用図面作成装置。
【請求項６】
請求項１から請求項５までの何れか１項に記載のメンテナンス用図面作成装置で作成されたメンテナンス用図面を用いて前記複数の設備機器のメンテナンス情報を管理するメンテナンス情報管理システムであって、
前記複数の設備機器と前記複数の設備機器が接続されたコントローラとから構成され、
前記コントローラは、
前記複数の設備機器のそれぞれについて、作業終了を受け付ける操作入力部と、
前記メンテナンス用図面に、作業終了した設備機器を反映させて前記コントローラの表示部に表示させる制御部と、
を備えたメンテナンス情報管理システム。
【請求項７】
請求項１から請求項５までの何れか１項に記載のメンテナンス用図面作成装置で作成されたメンテナンス用図面を用いて前記複数の設備機器のメンテナンス情報を管理するメンテナンス情報管理システムであって、
前記複数の設備機器と前記複数の設備機器が接続されたコントローラとから構成され、
前記複数の設備機器のそれぞれには、作業終了時に操作されるスイッチが設けられ、
前記コントローラは、
前記スイッチの操作を受け付ける操作入力部と、
前記メンテナンス用図面に、作業終了した設備機器を反映させて前記コントローラの表示部に表示させる制御部と、
を備えたメンテナンス情報管理システム。
【請求項８】
部屋内に設置された複数の設備機器の位置を平面図上に表したメンテナンス用図面を作成するメンテナンス用図面作成装置で実行されるメンテナンス用図面作成方法であって、
前記複数の設備機器を含む部屋全体を撮像するとともに、設備機器を識別するための識別情報として、各設備機器に付された識別標識を撮像する撮像ステップと、
前記部屋全体を撮像した画像から、前記複数の設備機器を含む前記部屋の平面図を作成する平面図作成ステップと、
撮像した前記識別標識から、前記識別情報を読み取る読み取りステップと、
前記各設備機器について、読み取られた識別情報の設備機器と、当該設備機器の前記平面図における位置とを紐付ける紐付けステップと、
を有するメンテナンス用図面作成方法。
【発明の詳細な説明】
【技術分野】
【０００１】
この発明は、部屋内に設置された複数の設備機器の位置を平面図上に表したメンテナンス用図面を作成するメンテナンス用図面作成装置およびメンテナンス用図面作成方法、並びに作成されたメンテナンス用図面を用いて複数の設備機器のメンテナンス情報を管理するメンテナンス情報管理システムに関する。
【背景技術】
【０００２】
従来から、例えば部屋内に設置された複数の室内機（設備機器）のメンテナンスにおいては、当該部屋内に設置された室内機のリストを参照しながらフィルタ交換や定期点検等を行っていた。しかしながら、リストで管理するだけでは、どこの室内機までメンテナンスが終わっているのかが分かりにくいという問題があった。
【０００３】
そのため、メンテナンスを行う作業者が、室内機が設置された部屋の平面図を作成し、リストに載っている複数の室内機のそれぞれについて、室内機と当該室内機の平面図における位置とを紐付けて平面図上に表し、手作業によりメンテナンス用図面を作成することがあった。
【０００４】
ここで、設備機器と当該設備機器が設置された位置とを紐付ける技術として、設備機器の自己識別情報が記憶されたＲＦＩＤ（Ｒａｄｉｏ  Ｆｒｅｑｕｅｎｃｙ  ＩＤｅｎｔｉｆｉｃａｔｉｏｎ）タグを各設備機器に付し、ＲＦＩＤタグに記憶された自己識別情報を無線情報端末で読み取ることにより、自己識別情報と各設備機器が設置された位置とを紐付けて記憶する方法が知られている（例えば、特許文献１参照）。
【先行技術文献】
【特許文献】
【０００５】
【特許文献１】特開２００７−３１２６号公報
【特許文献２】特開２００８−７７２６１号公報
【発明の概要】
【発明が解決しようとする課題】
【０００６】
しかしながら、特許文献１に記載された方法では、設備機器が設置された建造物のフロアレイアウト（平面図）と各設備機器が設置された位置とを紐付けて、各設備機器が設置された位置を特定しているので、設備機器が設置された部屋の平面図をあらかじめ準備する必要がある。そのため、メンテナンス用図面を作成するのに、手間がかかるという問題がある。
【０００７】
この発明は、上記のような課題を解決するためになされたものであり、部屋内に設置された複数の設備機器と、これらの設備機器が設置された位置とを紐付けて平面図上に表したメンテナンス用図面を容易に作成することができるメンテナンス用図面作成装置を得ることを目的とする。
【課題を解決するための手段】
【０００８】
この発明に係るメンテナンス用図面作成装置は、部屋内に設置された複数の設備機器の位置を平面図上に表したメンテナンス用図面を作成するメンテナンス用図面作成装置であって、各設備機器には、設備機器を識別するための識別情報が識別標識として付され、複数の設備機器を含む部屋全体を撮像するとともに、各設備機器に付された識別標識を撮像する撮像部と、部屋全体を撮像した画像から、複数の設備機器を含む部屋の平面図を作成する平面図作成部と、撮像した識別標識から、識別情報を読み取る読み取り部と、各設備機器について、読み取られた識別情報の設備機器と、当該設備機器の平面図における位置とを紐付ける紐付け部と、を備えたものである。
【０００９】
また、この発明に係るメンテナンス用図面作成方法は、部屋内に設置された複数の設備機器の位置を平面図上に表したメンテナンス用図面を作成するメンテナンス用図面作成装置で実行されるメンテナンス用図面作成方法であって、複数の設備機器を含む部屋全体を撮像するとともに、設備機器を識別するための識別情報として、各設備機器に付された識別標識を撮像する撮像ステップと、部屋全体を撮像した画像から、複数の設備機器を含む部屋の平面図を作成する平面図作成ステップと、撮像した識別標識から、識別情報を読み取る読み取りステップと、各設備機器について、読み取られた識別情報の設備機器と、当該設備機器の平面図における位置とを紐付ける紐付けステップと、を有するものである。
【発明の効果】
【００１０】
この発明に係るメンテナンス用図面作成装置およびメンテナンス用図面作成方法によれば、部屋全体を撮像した画像から、複数の設備機器を含む部屋の平面図を作成し、設備機器を識別するための識別情報として、各設備機器に付された識別標識を読み取り、各設備機器について、読み取られた識別情報の設備機器と、当該設備機器の平面図における位置とを紐付ける。
そのため、部屋内に設置された複数の設備機器と、これらの設備機器が設置された位置とを紐付けて平面図上に表したメンテナンス用図面を容易に作成することができる。
【図面の簡単な説明】
【００１１】
【図１】この発明の実施の形態１に係るメンテナンス用図面作成装置を示すブロック構成図である。
【図２】この発明の実施の形態１に係るメンテナンス用図面作成装置の紐付け方法を示す説明図である。
【図３】この発明の実施の形態１に係るメンテナンス用図面作成装置の紐付け方法を示す説明図である。
【図４】この発明の実施の形態１に係るメンテナンス用図面作成装置の紐付け方法を示す説明図である。
【図５】この発明の実施の形態１に係るメンテナンス用図面作成装置の紐付け方法を示す説明図である。
【図６】この発明の実施の形態２に係るメンテナンス情報管理システムを示すブロック構成図である。
【発明を実施するための形態】
【００１２】
以下、この発明に係るメンテナンス用図面作成装置およびメンテナンス用図面作成方法、並びにメンテナンス情報管理システムの好適な実施の形態につき図面を用いて説明するが、各図において同一、または相当する部分については、同一符号を付して説明する。
【００１３】
なお、以下の実施の形態では、設備機器として、空調機の室内機を例に挙げて説明するが、これに限定されず、照明設備等、部屋内に複数設置されたものであれば、他の設備機器であってもよい。
【００１４】
実施の形態１．
図１は、この発明の実施の形態１に係るメンテナンス用図面作成装置を示すブロック構成図である。このメンテナンス用図面作成装置１は、部屋内に設置された複数の室内機（図示せず）の位置を平面図上に表したメンテナンス用図面を作成するものである。また、メンテナンス用図面は、その部屋のメンテナンスを最初に行う場合に作成される。
【００１５】
また、各室内機には、室内機を識別するための識別情報が識別標識として付されている。ここで、識別情報としては、例えば室内機のシリアルナンバーや機種、製造番号、製造年月日が含まれる。また、識別標識は、ＱＲコード（登録商標）として付されている。なお、識別標識は、ＱＲコードに限定されず、他の一次元コードや二次元コードであってもよい。
【００１６】
図１において、メンテナンス用図面作成装置１は、撮像部１１、平面図作成部１２、読み取り部１３、紐付け部１４、表示部１５、選択部１６および拡大部１７を備えている。また、メンテナンス用図面作成装置１は、室内機のメンテナンスに用いられるコンピュータやタブレット等で実現される。
【００１７】
撮像部１１は、例えばカメラであり、複数の室内機を含む部屋全体を撮像するとともに、各室内機に付された識別標識を撮像する。平面図作成部１２は、部屋全体を撮像した画像から、複数の室内機を含む部屋の平面図を作成する。なお、平面図作成部１２は、例えば特許文献２に示された平面図作成タスクと同様の処理により、平面図を作成する。読み取り部１３は、撮像した識別標識から、識別情報を読み取る。
【００１８】
紐付け部１４は、各室内機について、読み取られた識別情報の室内機と、当該室内機の平面図における位置とを紐付ける。すなわち、紐付け部１４は、例えばＱＲコードから読み取った室内機のシリアルナンバーを、平面図における位置と紐付ける。
【００１９】
表示部１５は、作成された平面図および読み取られた識別情報を表示する。選択部１６は、表示された平面図における複数の室内機から、特定の室内機を選択する。拡大部１７は、表示された平面図の一部を拡大して示す。
【００２０】
以下、図２〜５を参照しながら、紐付け部１４における室内機と当該室内機の平面図における位置との具体的な紐付け方法について、具体例を３つ挙げて説明する。図２〜５は、この発明の実施の形態１に係るメンテナンス用図面作成装置の紐付け方法を示す説明図である。
【００２１】
最初に、１つ目の方法について説明する。まず、撮像部１１は、図２に示されるように、複数の室内機２０を含む部屋全体を撮像する。撮像部１１で撮像された画像は、例えば図３に示されるような画像となる。平面図作成部１２は、上述した特許文献２の平面図作成タスクと同様の処理により、図４に示されるような平面図を作成する。
【００２２】
続いて、撮像部１１は、図５に示されるように、複数の室内機２０のうちの１つに付された識別標識をズームして撮像する。読み取り部１３は、撮像した識別標識から、識別情報を読み取る。ここで、作成された平面図および読み取られた識別情報は、表示部１５に表示される。
【００２３】
その後、作業者が、選択部１６により、読み取られた識別情報の室内機に該当する平面図上の室内機を選択する。これにより、紐付け部１４は、読み取られた識別情報の室内機と、選択部１６により選択された室内機とを紐付ける。これを複数の室内機２０のそれぞれについて実行することにより、部屋内に設置された複数の室内機２０の位置を平面図上に表したメンテナンス用図面が作成される。
【００２４】
次に、２つ目の方法について説明する。まず、撮像部１１は、複数の室内機２０を含む部屋全体および各室内機に付された識別標識を連続的に動画として撮像する。また、撮像部１１は、部屋全体を撮像した後、連続して１つの室内機にズームして識別標識を撮像する。続いて、撮像部１１は、連続して別の室内機の識別標識を撮像し、これを複数の室内機２０のそれぞれについて実行する。
【００２５】
ここで、平面図作成部１２は、部屋全体を撮像した画像から、複数の室内機２０を含む部屋の平面図を作成する。また、紐付け部１４は、各室内機について、動画から読み取り部１３により読み取られた識別情報の室内機と、当該室内機の平面図における位置とを紐付ける。
【００２６】
このとき、撮像部１１が動画として撮像しているので、前後の画像を比較してどの室内機にズームしているかを判断することができ、作業者が室内機を選択することなく紐付けすることができる。これにより、部屋内に設置された複数の室内機２０の位置を平面図上に表したメンテナンス用図面が作成される。
【００２７】
次に、３つ目の方法について説明する。まず、撮像部１１は、複数の室内機２０を含む部屋全体の画像を１枚だけ撮像する。平面図作成部１２は、部屋全体を撮像した画像から、複数の室内機２０を含む部屋の平面図を作成する。ここで、作成された平面図は、表示部１５に表示される。
【００２８】
続いて、作業者が拡大部１７により平面図の一部を拡大し、拡大した画像から読み取り部１３が識別情報を読み取った場合に、紐付け部１４が読み取られた識別情報の室内機と、当該室内機の平面図における位置とを紐付ける。
【００２９】
このとき、作業者が平面図を拡大しているので、前後の画像を比較してどの室内機が拡大されているかを判断することができ、作業者が室内機を選択することなく紐付けすることができる。これを複数の室内機２０のそれぞれについて実行することにより、部屋内に設置された複数の室内機２０の位置を平面図上に表したメンテナンス用図面が作成される。
【００３０】
上述した方法によりメンテナンス用図面を作成することにより、室内機のメンテナンスに用いられるコンピュータやタブレット等にメンテナンス用図面を表示したり、複数の室内機２０が接続されるコントローラの画面にメンテナンス用図面を表示したりすることで、作業者が視覚的に室内機の位置を把握することができる。
【００３１】
なお、紐付け部１４は、部屋内に設置された複数の室内機に係る外部から取得した識別情報と、読み取り部１３で読み取られた識別情報とを照合してもよい。ここで、外部から取得した識別情報とは、例えばネットワーク経由で得られる室内機のシリアルナンバーである。
【００３２】
このように、ネットワーク経由で得られる室内機のシリアルナンバーと、平面図に紐付けられた室内機のシリアルナンバーとを照合することにより、すべての室内機が紐付けられているかどうかを判断することができる。
【００３３】
また、ＱＲコードに室内機の機種が記憶されている場合に、ネットワーク経由で機種情報から当該室内機の正確な寸法を入手し、平面図作成部１２で作成された平面図を補正することにより、より正確なメンテナンス用図面を得ることができる。
【００３４】
以上のように、実施の形態１によれば、部屋全体を撮像した画像から、複数の設備機器を含む部屋の平面図を作成し、設備機器を識別するための識別情報として、各設備機器に付された識別標識を読み取り、各設備機器について、読み取られた識別情報の設備機器と、当該設備機器の平面図における位置とを紐付ける。
そのため、部屋内に設置された複数の設備機器と、これらの設備機器が設置された位置とを紐付けて平面図上に表したメンテナンス用図面を容易に作成することができる。
【００３５】
なお、上記実施の形態１では、識別標識として、一次元コードや二次元コードを例に挙げて説明したが、これに限定されず、識別標識は、銘板に記載された文字であってもよい。この場合には、撮像部１１が銘板を撮像し、記載された文字を文字認識することにより、識別情報を読み取ることができる。
【００３６】
実施の形態２．
図６は、この発明の実施の形態２に係るメンテナンス情報管理システムを示すブロック構成図である。図６において、メンテナンス情報管理システムは、部屋内に設置された複数の室内機２０と、コントローラ３０とから構成されている。また、コントローラ３０には、上記実施の形態１で作成されたメンテナンス用図面が取り込まれている。
【００３７】
複数の室内機２０のそれぞれには、メンテナンス作業の終了時に操作されるスイッチ２１が設けられている。また、コントローラ３０は、複数の室内機２０のそれぞれについて、作業者からの作業終了を受け付けるともに、スイッチ２１の操作を受け付ける操作入力部３１と、メンテナンス用図面に、作業終了した室内機を反映させてコントローラ３０の表示部３２に表示させる制御部３３とを備えている。
【００３８】
すなわち、メンテナンス作業が終了した場合に、作業者がメンテナンス用図面に表示された室内機を選択するか、スイッチ２１を操作することにより、操作入力部３１に対して作業終了した室内機を入力する。これにより、次回のメンテナンス時に、すでに作業終了した室内機を平面図上で容易に把握することができる。
【符号の説明】
【００３９】
１  メンテナンス用図面作成装置、１１  撮像部、１２  平面図作成部、１３  読み取り部、１４  紐付け部、１５  表示部、１６  選択部、１７  拡大部、２０  室内機。
【図１】
0006703347.tif 000002
【図２】
0006703347.tif 000003
【図３】
0006703347.tif 000004
【図４】
0006703347.tif 000005
【図５】
0006703347.tif 000006
【図６】
0006703347.tif 000007